(57)【要約】【課題】食材を所定の温度で安定させて、短時間加熱できる加熱調理器を提供すること。【解決手段】本体１内に設けた加熱室２と、マイクロ波を発生させるマグネトロン１４と、マグネトロン１４で発生させたマイクロ波を加熱室２内に放射する放射口１６と、加熱室２内を減圧する減圧装置９と、加熱室２を密閉する蓋１１と、マグネトロン１４および減圧装置９を制御する制御装置１７と、を備え、加熱室２は、内部に、水を貯める貯水部８と、食材４を載置する載置台３と、を具備し、放射口１６は、加熱室壁に隣接して設けるとともに載置台３よりも貯水部８に近い位置に設置され、制御装置１７は、食材４を加熱時に、減圧装置９およびマグネトロン１４を制御して貯水部８内の水を加熱し、蒸気を発生させて食材４を加熱する。【選択図】図１
2017166763.tif 000002
【特許請求の範囲】
【請求項１】
調理器本体内に設けた加熱室と、
マイクロ波を発生させるマイクロ波発生装置と、
前記マイクロ波発生装置で発生させたマイクロ波を前記加熱室内に放射する放射口と、
前記加熱室内を減圧する減圧装置と、
前記加熱室を密閉する蓋と、
前記マイクロ波発生装置および前記減圧装置を制御する制御装置と、を備え、
前記加熱室は、内部に、水を貯める貯水部と、食材を載置する載置台と、を具備し、
前記放射口は、前記加熱室壁に隣接して設けるとともに前記載置台よりも前記貯水部に近い位置に設置され、
前記制御装置は、前記食材を加熱時に、前記減圧装置および前記マイクロ波発生装置を制御して前記貯水部内の水を加熱し、蒸気を発生させて前記食材を加熱する、加熱調理器。
【請求項２】
調理器本体内に設けた加熱室と、
前記マイクロ波を発生させるマイクロ波発生装置と、
前記マイクロ波発生装置で発生させたマイクロ波を前記加熱室内に放射する放射口と、
前記加熱室内に収容する加熱容器と、
前記加熱容器内または／および前記加熱室内を減圧する減圧装置と、
前記加熱容器内または／および前記加熱室内を密閉する蓋と、
前記マイクロ波発生装置および前記減圧装置を制御する制御装置と、を備え、
前記加熱容器内には、水を貯めておく貯水部と、食材を載置する載置台と、を具備し、
前記放射口は、前記加熱室壁に隣接して設けるとともに前記載置台よりも前記貯水部に近い位置に設置され、
前記制御装置は、前記食材を加熱時に、前記減圧装置および前記マイクロ波発生装置を制御して前記貯水部内の水を加熱し、蒸気を発生させて前記食材を加熱する、加熱調理器。
【請求項３】
前記載置台は前記食材を置く載置面を具備し、前記載置面は貫通する開口孔を設け、前記貯水部から発生する蒸気を前記開口孔から通過させ、前記食材を加熱する、請求項１または２に記載の加熱調理器。
【請求項４】
前記載置台は前記食材を置く載置面を具備し、前記載置面は蒸気を通過させない構成とし、前記載置面の周囲に開口孔を具備した蒸気連通面または／および前記載置面の周囲に隙間（前記載置台の外周と前記加熱室または前記加熱容器の内壁との隙間）を設け、
前記貯水部から発生する蒸気を前記開口孔または／および前記隙間から通過させ、前記食材を加熱する、請求項１または２に記載の加熱調理器。
【請求項５】
前記載置台は中央に凹部を有した形状とし、前記凹部は蒸気を通過させない構成とするとともに前記食材を置く載置面を形成し、前記凹部を形成する垂直壁の外側に開口孔を具備した蒸気連通面または／および前記凹部を形成する前記垂直壁の外側に隙間（前記載置台の外周と前記加熱室または前記加熱容器の内壁との隙間）を設け、
前記貯水部から発生する蒸気を前記開口孔または／および前記隙間から通過させ、前記食材を加熱する、請求項１または２に記載の加熱調理器。
【請求項６】
前記制御装置は、前記食材の種類や仕上がり状態に応じて前記加熱容器内または／および前記加熱室内の圧力を設定する、請求項１から５のいずれか１項に記載の加熱調理器。
【発明の詳細な説明】
【技術分野】
【０００１】
本発明は、減圧状態でマイクロ波加熱をすることで、食材を所定の温度で上手く加熱できる加熱調理器に関するものである。
【背景技術】
【０００２】
従来、減圧状態でマイクロ波加熱をすることで、解凍性能を向上させる電子レンジ等の加熱調理器が提案されている（例えば、特許文献１参照）。
【先行技術文献】
【特許文献】
【０００３】
【特許文献１】特開平３−２４６８８１号公報
【発明の概要】
【発明が解決しようとする課題】
【０００４】
しかしながら、特許文献１に記載の発明のように所定の減圧状態にすれば、水の沸騰温度が所定の温度に低下するため、その状態で食材をマイクロ波で加熱すれば、所定の温度で簡単に食材を加熱できるという訳ではなかった。例えば、根菜野菜の芋や人参等を７５℃で加熱しようと思って、水の沸騰温度が約７５℃になる減圧状態（約０．３８気圧）を作ってマイクロ波加熱しても、実際、食材は１００℃位まで温度上昇してしまい、上手く所定の温度（例えば、７５℃）で加熱できなかった。
【０００５】
これは、根菜野菜等のように水分が表面に出にくい食材は、たとえ減圧状態にして水の沸騰温度を下げるようにしても、食材表面には水分が殆ど無く、結果として、所定の温度で加熱することができないからと思われる。
【０００６】
本発明は、前記従来の課題を解決するもので、どんな食材についても所定の減圧状態で生じる水の沸騰温度と同じ温度で、食材を安定して加熱することができる加熱調理器を提供することを目的とする。
【課題を解決するための手段】
【０００７】
上記従来の課題を解決するために、調理器本体内に設けた加熱室と、前記マイクロ波を発生させるマイクロ波発生装置と、前記マイクロ波発生装置で発生させたマイクロ波を前記加熱室内に放射する放射口と、前記加熱室内を減圧する減圧装置と、前記加熱室を密閉する蓋と、前記マイクロ波発生装置および前記減圧装置を制御する制御装置と、を備え、前記加熱室は、内部に、水を貯める貯水部と、食材を載置する載置台と、を具備し、前記放射口は、前記加熱室壁に隣接して設けるとともに前記載置台よりも前記貯水部に近い位置に設置され、前記制御装置は、前記食材を加熱時に、前記減圧装置および前記マイクロ波発生装置を制御して前記貯水部内の水を加熱し、蒸気を発生させて前記食材を加熱する構成としたものである。
【０００８】
これによって、マイクロ波発生装置から発生したマイクロ波は、放射口から出ることになるが、放射口は載置台よりも貯水部に近い位置に配置されているため、まず、マイクロ波は貯水部の水を加熱することになり、次に、この貯水部の水で吸収されずに残ったマイクロ波が食材の加熱に作用することになる。したがって、マイクロ波加熱の大半は、貯水部の水の加熱をすることになり、水温が素早く上昇し、短時間で沸騰することになる。この時、減圧装置により、加熱室の内圧を所定の値まで減圧していると、貯水部の水の沸騰温度は減圧値に対応した値になり、所定の温度の蒸気発生させ、加熱室内をこの蒸気で充
満し、食材を所定の温度で安定して加熱することができる。更に、食材の表面には水蒸気による結露水も付着し、貯水部の水で吸収されずに残ったマイクロ波が作用しても、結露水が所定の温度で沸騰するため、食材は所定の温度で安定して加熱される。したがって、単に蒸気だけで加熱するよりもマイクロ波加熱が加わる分、加熱スピードが速くなる。
【発明の効果】
【０００９】
本発明は、水分が表面に出にくい食材においても、所定の減圧状態とマイクロ波加熱を用いることで、食材を所定の温度で安定して加熱することができ、また、食材の加熱スピードも速くなる加熱調理器を提供することができる。
【図面の簡単な説明】
【００１０】
【図１】本発明の実施の形態１における加熱調理器の全体構成の断面を示すブロック図
【図２】本発明の実施の形態１における加熱調理器の食材の温度上昇を示す特性図
【図３】本発明の実施の形態２における加熱調理器の全体構成の断面を示すブロック図
【図４】本発明の実施の形態２における加熱容器の容器蓋を外した状態を示す平面図
【図５】（ａ）本発明の実施の形態２における加熱調理器の操作部の初期状態における液晶画面表示を示す模式図（ｂ）本発明の実施の形態２における加熱調理器の操作部の減圧レンジキーを押した状態における液晶画面を示す模式図
【図６】本発明の実施の形態３における加熱調理器の加熱容器の正面断面図
【図７】本発明の実施の形態３における加熱容器の容器蓋を外した状態を示す平面図
【発明を実施するための形態】
【００１１】
第１の発明は、調理器本体内に設けた加熱室と、前記マイクロ波を発生させるマイクロ波発生装置と、前記マイクロ波発生装置で発生させたマイクロ波を前記加熱室内に放射する放射口と、前記加熱室内を減圧する減圧装置と、前記加熱室を密閉する蓋と、前記マイクロ波発生装置および前記減圧装置を制御する制御装置と、を備え、前記加熱室は、内部に、水を貯める貯水部と、食材を載置する載置台と、を具備し、前記放射口は、前記加熱室壁に隣接して設けるとともに前記載置台よりも前記貯水部に近い位置に設置され、前記制御装置は、前記食材を加熱時に、前記減圧装置および前記マイクロ波発生装置を制御して前記貯水部内の水を加熱し、蒸気を発生させて前記食材を加熱する構成とすることにより、放射口から出たマイクロ波は、載置台よりも近い貯水部の水を加熱し、貯水部の水温を素早く上昇させる。この時、加熱室の内圧を所定の値まで減圧していると、貯水部の水の沸騰温度は減圧値に対応した値になり、所定の温度の蒸気を発生させ、加熱室内をこの蒸気で充満し、食材を所定の温度で安定して加熱することができる。更に、貯水部の水で吸収されずに残ったマイクロ波は、食材を加熱することになり、食材の加熱スピードを速くすることができる。
【００１２】
第２の発明は、調理器本体内に設けた加熱室と、前記マイクロ波を発生させるマイクロ波発生装置と、前記マイクロ波発生装置で発生させたマイクロ波を前記加熱室内に放射する放射口と、前記加熱室内に収容する加熱容器と、前記加熱容器内または／および前記加熱室内を減圧する減圧装置と、前記加熱容器内または／および前記加熱室内を密閉する蓋と、前記マイクロ波発生装置および前記減圧装置を制御する制御装置と、を備え、前記加熱容器内には、水を貯めておく貯水部と、食材を載置する載置台と、を具備し、前記放射口は、前記加熱室壁に隣接して設けるとともに前記載置台よりも前記貯水部に近い位置に設置され、前記制御装置は、前記食材を加熱時に、前記減圧装置および前記マイクロ波発生装置を制御して前記貯水部内の水を加熱し、蒸気を発生させて前記食材を加熱する構成とすることにより、放射口から出たマイクロ波は、載置台よりも近い貯水部の水を加熱し、貯水部の水温を素早く上昇させる。この時、加熱容器の内圧を所定の値まで減圧してい
ると、貯水部の水の沸騰温度は減圧値に対応した値になり、所定の温度の蒸気を発生させ、加熱容器内をこの蒸気で充満し、食材を所定の温度で安定して加熱することができる。更に、貯水部の水で吸収されずに残ったマイクロ波は、食材を加熱することになり、食材の加熱スピードを速くすることができる。
【００１３】
また、食材は加熱容器内の載置台に載せているので、加熱容器を加熱室から取り出して台所等に置いて、食材の出し入れ等をすることができ、使い勝手が大幅に向上する。
【００１４】
第３の発明は、第１または第２の発明において、前記載置台は前記食材を置く載置面を具備し、前記載置面は貫通する開口孔を設け、前記貯水部から発生する蒸気を前記開口孔から通過させ、前記食材を加熱する構成とすることにより、食材に貯水部から発生する蒸気が直接当たり、食材を加熱するスピードが向上する。
【００１５】
第４の発明は、第１または第２の発明において、前記載置台は前記食材を置く載置面を具備し、前記載置面は蒸気を通過させない構成とし、前記載置面の周囲に開口孔を具備した蒸気連通面または／および前記載置面の周囲に隙間（前記載置台の外周と前記加熱室または前記加熱容器の内壁との隙間）を設け、前記貯水部から発生する蒸気を前記開口孔または／および前記隙間から通過させ、前記食材を加熱する構成とすることにより、貯水部の水が加熱され、沸騰した際にお湯が跳ねることになるが、食材を置く載置面には孔が無いので、跳ねたお湯が孔を介して直接食材にかかることが抑制され、加熱後の食材の仕上がりを向上させることができる。
【００１６】
第５の発明は、第１または第２の発明において、前記載置台は中央に凹部を有した形状とし、前記凹部は蒸気を通過させない構成とするとともに前記食材を置く載置面を形成し、前記凹部を形成する垂直壁の外側に開口孔を具備した蒸気連通面または／および前記凹部を形成する前記垂直壁の外側に隙間（前記載置台の外周と前記加熱室または前記加熱容器の内壁との隙間）を設け、前記貯水部から発生する蒸気を前記開口孔または／および前記隙間から通過させ、前記食材を加熱する構成とすることにより、食材より高い位置まで貯水部の水位を上げることができ、貯水部の水が載置台を介して食材を囲むことになり、貯水部の水が高温になった際に、貯水部の熱が載置台を介して食材に伝導し易くなる。したがって、貯水部の水が沸騰し発生する蒸気で食材を加熱することに加えて、貯水部から載置台を介しての熱伝導が加わり、食材の加熱スピードが速くなる。
【００１７】
また、貯水部の水の量を増やすことができ、マイクロ波に対する貯水部の吸収が良くなり、貯水部の水の昇温スピードが向上する。
【００１８】
第６の発明は、第１から第５のいずれかの発明において、前記制御装置は、前記食材の種類や仕上がり状態に応じて前記加熱容器内または／および前記加熱室内の圧力を設定することにより、使用者が各食材の加熱に対して、簡単に最適な温度で加熱でき、食材の加熱の仕上がりを向上させることができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における加熱調理器の全体構成の断面を示すブロック図、図２は、実施の形態１における加熱調理器の食材の温度上昇を示す特性図である。
【００２１】
図１において、１は本体（調理器本体）であり、本体１内には、例えばポリフェニレンサルファイド樹脂等の耐熱樹脂で形成した加熱室２を設けている。加熱室２内には、例え
ば、ポリフェニレンサルファイド樹脂等の耐熱樹脂で形成した、載置台３を備えている。載置台３には、食材４を置く載置面５を設け、載置面５には複数の開口孔６を具備し、載置面５は、載置台足７にて支えられている。更に、加熱室２内の下部には、水を蓄える貯水部８を設けている。
【００２２】
９は減圧装置であり、例えば、ダイアフラム型の真空ポンプを使って構成し、減圧チューブ１０を介して、加熱室２に連結し、加熱室２内の圧力を大気圧より下げるようにしている。加熱室２の上部開口には、例えば、ステンレス鋼板等を用いた加熱室２の蓋１１を設け、加熱室２の上部開口に加熱室２の蓋１１が嵌合することで、加熱室２を密閉している。
【００２３】
図１には記載していないが、加熱室２の上部開口周縁と加熱室２の蓋１１との間に、例えば、シリコン製のパッキンゴム等を介在させると、加熱室２の密閉性を向上できる。また、加熱室２の外周には、例えば、ステンレス鋼板製の加熱室外枠１２を設けている。１３はマイクロ波を発生させるマイクロ波発生装置で、マイクロ波の発振器としては、例えば、マグネトロン１４を用いている。マグネトロン１４で発生したマイクロ波を、加熱室２へ導く鋼板製の導波管１５を具備している。導波管１５の先端の放射口１６は、加熱室２の壁に隣接して設けるとともに、放射口１６は載置台３よりも、貯水部８に近い位置に設けている。１７は制御装置で、減圧装置９やマイクロ波発生装置１３や操作部（図示せず）と、電気的に接続している。
【００２４】
以上のように構成された加熱調理器について、以下その動作、作用を説明する。
【００２５】
載置台３の載置面５に食材４（例えば、薩摩芋）を置き、加熱室２の貯水部８には所定の水量（例えば、約１５０ｇ）を入れ、加熱室の蓋１１を閉め、操作部から加熱温度を例えば７５℃、マイクロ波の出力を３００Ｗ、時間を１０分に設定し、スタートキー（図示せず）を押す。加熱を開始すると、まず、制御装置１７が、減圧装置９を駆動し、加熱室２内の圧力を設定した加熱温度と一致する、水の沸騰温度になるよう減圧する。
【００２６】
具体的には、加熱温度を７５℃にする場合は、水の沸騰温度が７５℃になる減圧状態（約０．３８気圧）まで、加熱室２内の圧力を下げる。次に、制御装置１７は、マイクロ波発生装置１３であるマグネトロン１４を駆動し、操作部から設定した条件で、加熱室２内をマイクロ波加熱することになる。このマイクロ波加熱中も減圧装置９近傍に設けられた圧力センサ（図示せず）で、加熱室２内の圧力を検知し、制御装置１７へ検知信号を出力する。制御装置１７は、減圧装置９を駆動して、加熱室２内の圧力を維持している。なお、加熱終了時は、減圧装置９近傍に設けられた弁（図示せず）を開くことで、加熱室２内の圧力を大気圧に戻し、蓋１１を簡単に開けれるようにしている。
【００２７】
マイクロ波発生装置１３から発生したマイクロ波は、放射口１６から加熱室２内に入ることになるが、大半のマイクロ波は、放射口１６に近い貯水部８の水に作用し、水を加熱する。これにより、水は沸騰することになるが、予め、加熱室２の圧力を水の沸騰温度が約７５℃になる減圧状態（約０．３８気圧）まで下げているので、７５℃で沸騰し、７５℃の蒸気が発生する。発生した蒸気は、開口孔６を介して加熱室２内に充満し、食材４を７５℃の蒸気で加熱することになる。
【００２８】
食材４が７５℃の蒸気で加熱される際に、一部の蒸気は、食材４の表面で結露し、食材４の表面を水で濡らすことになる。一方、貯水部８の水の加熱時に漏れたマイクロ波は、直接食材４を加熱することになるが、上述した食材４の表面に結露した水を主に加熱し、７５℃が上限温度となる沸騰温度まで昇温し、食材４を安定して加熱する。また、このマイクロ波の加熱作用で、加熱スピードも速くなる。
【００２９】
したがって、本実施の形態においては、図２の実線で示すように、食材４を所定の温度（例えば、７５℃）で、安定して、早く加熱することができる。
【００３０】
ところが、貯水部８に水を入れずに、加熱室２の圧力を水の沸騰温度が約７５℃になる減圧状態（約０．３８気圧）まで下げて加熱しても、図２の点線で示すように、食材４の温度は１００℃近くまで上昇し、狙った温度に安定しない。これは、食材４に薩摩芋等、表面に水分が出にくい食材を用いると、減圧によって沸騰温度が低下する効果を発揮するための水が不足しているため、結果として、１００℃近くまで、食材４の温度が上昇してしまうことになるからである。
【００３１】
本実施の形態のように、食材４を安定した所定の低温で加熱することができると、食材４に野菜を使った場合には、次のような色々な効果を生み出すことができる。１）ビタミン類を破壊しない温度で、野菜を安定して加熱することができる。２）酵素が最も働く温度に設定し、例えば、約６５〜７５℃の温度で、酵素によりデンプンを糖分に変換し、薩摩芋等をより甘くなるように、加熱することができる。３）煮崩れしない温度（約８０℃）で、食材４を加熱することができる。
【００３２】
また、肉や魚も低温（約６０〜６５℃）で加熱すると、タンパク質が硬く凝固しないため、柔らかい肉質を保った美味しい調理ができる。この際も、本実施の形態を用いることにより、上述した食材４への加熱と同様に、所定の温度で、安定して加熱することができる。
【００３３】
さらに、貯水部８に溜める水の量で、食材４の加熱状態を変えることができる。即ち、溜める水量を少なくすると、食材４を直接マイクロ波で加熱する分が増える。また、溜める水量を多くすると、食材４を蒸気によって加熱する分が増える。これにより、食材４の加熱後の仕上がりを、制御することができる。発明者が検討した結果、食材４表面に水分が多いもの（例えば、切ったトマト等）は、貯水部８に溜める水は少ない方が良く、蒸した食感を増したい芋類は、貯水部８に溜める水を多くすると仕上がりが良かった。
【００３４】
また、食材４を置く載置面５には、複数の開口孔６を具備しているので、貯水部８で発生した蒸気が直接食材４に当たることになり、食材４を加熱するスピードが速くなる。
【００３５】
さらに、本実施の形態では、加熱室２を樹脂で形成しており、簡単に貯水部８を構成できた。一方、加熱室２に放射口１６からマイクロ波を放射した際、加熱室２が樹脂製のため、加熱室２の外側に漏れる恐れがあるが、加熱室２の外周にあるステンレス鋼板製の加熱室外枠１２で、マイクロ波の漏れを止めることができる。
【００３６】
なお、本実施の形態では、加熱室２からのマイクロ波の漏れを加熱室外枠１２で止める構成にしたが、本体１の外郭を金属製で形成してマイクロ波漏れを無くしても良い。
【００３７】
（実施の形態２）
図３は、本発明の実施の形態２における加熱調理器の全体構成の断面を示すブロック図、図４は、実施の形態２における加熱容器の容器蓋を外した状態を示す平面図、図５（ａ）は、実施の形態２における加熱調理器の操作部の初期状態における液晶画面表示を示す模式図、図５（ｂ）は、実施の形態２における加熱調理器の操作部の減圧レンジキーを押した状態における液晶画面を示す模式図である。
【００３８】
図３において、１８は本体（調理器本体）で、本体１８内には内部に被加熱物である食材２２を入れて加熱するための加熱室１９を具備し、加熱室１９の前面には、加熱室１９
を閉じる扉構成の蓋（図示せず）を有している。加熱室１９は、例えば、ステンレス鋼板等を用いている。加熱室１９内には、例えば、ポリプロピレン樹脂等で形成した、平面断面が丸形状の加熱容器２０を収容している。また、加熱容器２０内には、例えば、ポリプロピレン樹脂等で形成した載置台２１を備えている。載置台２１には、食材２２を置く載置面２３と、載置面２３の外周に蒸気連通面２４とを設け、蒸気連通面２４には開口孔２５を具備している。そして、載置面２３と蒸気連通面２４とは、載置台足２６にて支えられている。
【００３９】
更に、加熱容器２０の底には、水を蓄える貯水部２７を設けている。２８は減圧装置であり、例えば、ダイアフラム型の真空ポンプを使って構成し、本体内減圧チューブ２９、中継管３０、加熱室内減圧チューブ３１を介して、容器蓋３２の取付け部３３に連結している。容器蓋３２は、例えば、ポリプロピレン樹脂等で形成されており、加熱容器２０の上に置くことで、加熱容器２０内を密閉している。
【００４０】
図３には記載していないが、加熱容器２０と加熱容器２０の蓋との間に、例えば、シリコン製のパッキンゴム等を介在させると、加熱容器２０の密閉性が向上する。加熱容器２０は、容器蓋３２により密閉し、減圧装置２８により加熱容器２０内を減圧することができる。３４はマイクロ波を発生させるマイクロ波発生装置で、マイクロ波の発振器としては、例えば、マグネトロン３５を用い、発生したマイクロ波を導く、鋼板製の導波管３６を具備している。導波管３６の先端の放射口３７は、加熱室１９壁に隣接して設けるとともに、放射口３７は載置台２１よりも貯水部２７に近い位置に設けている。３８はマイクロ波を透過できる材料で形成した底板で、例えば、結晶化ガラス等で形成されており、加熱室１９の底面近傍に設けられ、加熱容器２０を支えている。３９は制御装置で、減圧装置２８やマイクロ波発生装置３４や図５に示す操作部４０と、電気的に接続している。
【００４１】
次に、操作部４０を説明する。図５（ａ）において、操作部４０の初期の液晶画面４１で、本実施の形態では、通常レンジ加熱、減圧レンジ加熱、グリル加熱、オーブン加熱の４つの加熱機能を有し、液晶画面４１には、通常レンジキー４２、減圧レンジキー４３、グリルキー４４、オーブンキー４５を表示している。
【００４２】
例えば、通常レンジキー４２を押すと、液晶画面４１は詳細な設定画面（図示せず）を表示し、加熱条件を設定した後にスタートキー（図示せず）を押すと、制御装置３９がマイクロ波発生装置３４を駆動し、加熱室１９に置かれた温めたい食材２２（例えば、ご飯等）をマイクロ波加熱することができる。
【００４３】
また、グリルキー４４を押すと、液晶画面４１は詳細な設定画面（図示せず）を表示し、加熱条件を設定した後にスタートキー（図示せず）を押すと、加熱室１９内のヒータ（図示せず）が動作し、加熱室１９内に置かれた食材２２（例えば、魚等）をグリル加熱（輻射加熱）することができる。
【００４４】
また、オーブンキー４５を押すと、液晶画面４１は詳細な設定画面（図示せず）を表示し、加熱条件を設定した後にスタートキー（図示せず）を押すと、加熱室１９内の熱風を出すヒータ（図示せず）と強制対流ファン（図示せず）が動作し、加熱室１９内に置かれた食材２２（例えば、肉等）をオーブン加熱することができる。
【００４５】
そして、減圧レンジキー４３を押すと、液晶画面４１は、図５（ｂ）のような液晶画面４１を表示する。食材２２を加熱する温度設定に関しては、温度設定値を上げる上昇キー４６ａと下げる下降キー４６ｂとの操作で、任意に設定することができる。マイクロ波の出力設定に関しては、出力値を上げる上昇キー４７ａと下げる下降キー４７ｂとの操作で、任意に設定することができる。加熱時間の設定に関しては、時間を長くする上昇キー４
８ａと時間を短くする下降キー４８ｂとの操作で、任意に設定することができる。また、スタートキー４９を押すとマイクロ波加熱を開始する。
【００４６】
以上のように構成された加熱調理器について、以下その動作、作用を説明する。
【００４７】
載置台２１の載置面２３に食材２２（例えば、薩摩芋）を置き、加熱容器２０の貯水部２７には所定の水量（例えば、約１５０ｇ）を入れ、容器蓋３２を閉める。次に、図５（ａ）に示すように、操作部４０の液晶画面４１の減圧レンジキー４３を押すと、図５（ｂ）のような画面を表示し、食材２２を加熱する温度（例えば、７５℃）、加熱するマイクロ波の出力（例えば、３００Ｗ）、加熱する時間（例えば、１０分）を設定し、スタートキー４９を押すとマイクロ波加熱が開始する。
【００４８】
加熱が開始されると、まず、制御装置３９が、減圧装置２８を駆動し、加熱容器２０内の圧力を、設定した加熱温度と一致する水の沸騰温度になるよう減圧する。具体的には、加熱温度を７５℃にする場合は、水の沸騰温度が７５℃になる減圧状態（約０．３８気圧）まで、加熱容器２０内の圧力を下げる。
【００４９】
次に、制御装置３９は、マイクロ波発生装置３４を駆動し、上記のように操作部４０にて設定した条件で、加熱容器２０内をマイクロ波加熱することになる。このマイクロ波加熱中も、減圧装置２８近傍に設けられた圧力センサ（図示せず）で、加熱容器２０内の圧力を検知し制御装置３９へ検知信号を出力する。制御装置３９は、減圧装置２８を駆動して、加熱容器２０内の圧力を維持している。なお、加熱終了時は、減圧装置２８近傍に設けられた弁（図示せず）を開くことで、加熱容器２０内の圧力を大気圧に戻し、容器蓋３２を簡単に開けられるようにしている。
【００５０】
マイクロ波発生装置３４から発生したマイクロ波は、放射口３７から底板３８を透過して、加熱容器２０内に放射される。予め、加熱容器２０の圧力は、水の沸騰温度が約７５℃になる減圧状態（約０．３８気圧）まで下げられているので、７５℃で沸騰し、７５℃の蒸気を発生させる。発生した蒸気は、開口孔２５を通過して、加熱容器２０内に充満し、食材２２を７５℃の蒸気で加熱することになる。
【００５１】
食材２２が７５℃の蒸気で加熱される際に、一部の蒸気は、食材２２の表面で結露し、食材２２の表面を水で濡らすことになる。一方、貯水部２７の水の加熱時に、水を透過したマイクロ波は、直接食材２２を加熱することになるが、上述した食材２２の表面に結露した水を主に加熱し、７５℃が上限温度となる沸騰温度まで昇温して、食材２２を安定して加熱する。また、このマイクロ波の加熱作用で、食材２２を加熱するスピードも速くなる。
【００５２】
さらに、本実施の形態においては、食材２２を置く載置台２１の載置面２３には、載置面２３を貫通する開口孔を設けず、蒸気が載置面２３を通過させない構成としている。載置面２３の外周には、開口孔２５を具備した蒸気連通面２４を設けており、たとえ貯水部２７の水が沸騰して開口孔２５から飛び出しても、沸騰した水が直接食材２２に当たることを抑制できる。したがって、食材２２に対して必要以上に沸騰水がかかることは無くなり、この作用で食味が変わることが無い。
【００５３】
また、通常レンジ加熱、減圧レンジ加熱、グリル加熱、オーブン加熱の４つの加熱機能を、同じ加熱室１９において使うことができて便利であり、減圧レンジ加熱の際は、加熱容器２０に食材２２を入れて使うことができるので、食材２２の出し入れ等は、加熱室１９から加熱容器２２を取り出して、台所等に置いて使用することができ、使い勝手が良くなっている。また、その加熱容器２０ごと冷蔵庫等に保存でき、非常に便利である。
【００５４】
なお、本実施の形態では、食材２２を入れた加熱容器２０を容器蓋３２で密閉し、加熱室１９内に加熱容器２０を置いた状態で、本体内減圧チューブ２９、中継管３０、加熱室内減圧チューブ３１を介して、減圧装置２８を駆動し、加熱容器２０内の減圧を行ったが、本体１８の外で、別の減圧装置もしくは本体１８内の減圧装置２８を用いて、食材２２を入れた加熱容器２０を容器蓋３２で密閉したものを、予め、所定の値まで減圧した状態で、加熱室１９内に加熱容器２０を置いて、マイクロ波加熱しても良い。
【００５５】
また、本実施の形態では、加熱容器２０の中を所定の値まで減圧したが、加熱容器２０を置く加熱室１９内を扉構成の蓋で密閉し、本体内減圧チューブ２９、中継管３０を介して、減圧装置２８にて、加熱室１９内を減圧しても良い。そのような構成の場合には、加熱容器２０は、容器蓋３２での密閉が必要なくなる。
【００５６】
さらに、本実施の形態では、食材２２の加熱条件である温度設定、マイクロ波の出力設定、加熱時間の設定を使用者が直接入れる操作方法にしたが、食材２２の種類や味や硬さ等の仕上がり状態を設定するとその状態を実現する温度、マイクロ波の出力、加熱時間を自動設定して、加熱をするような操作方法にしても良い。
【００５７】
また、実施の形態１、２において、マイクロ波発生装置１３、３４のマイクロ波の発生には、マグネトロン１４、３５を用いたが、半導体素子を用いても良く、要は、放射口１６、３７から、マイクロ波を発生するものであれば良い。
【００５８】
さらに、実施の形態１、２において、放射口１６、３７には、マイクロ波を制御するものがないが、放射されるマイクロ波の分布等を改善するアンテナを、放射口１６、３７近傍に設けても良い。
【００５９】
また、実施の形態１、２において、放射口１６、３７は、加熱室２、１９の底面に設けたが、側面でも良く、要は、放射口１６、３７を載置台３、２１よりも貯水部８、２７に近い位置に設ければ良い。
【００６０】
さらに、本実施の形態１、２において、貯水部８、２７で発生する蒸気は、載置台３、２１の開口孔６、２５を通過させて、加熱室２、１９や加熱容器２０内に蒸気を充満させているが、載置台３、２１の外周と加熱室２、１９あるいは加熱容器２０の内壁との隙間を設け、その部分から貯水部８、２７で発生する蒸気を通過させても良い。上述のような構成にすると、開口孔６、２５を減らしたり、無くしたりすることができる。
【００６１】
（実施の形態３）
図６は、本発明の実施の形態３における加熱調理器の加熱容器の正面断面図、図７は、実施の形態３における加熱容器の容器蓋を外した状態を示す平面図を示したものである。
【００６２】
図６、図７において、２２は食材、３３は取付け部で、以上は実施の形態２で説明した構成と同じであり、同一符号、同一名称を付して、詳細な説明を省略する。
【００６３】
また、本実施の形態は、実施の形態２に対して、加熱容器５０の構成が異なるだけであるので、異なったところを主に説明する。
【００６４】
加熱容器５０の平面断面は、角形形状しており、加熱容器５０内には載置台５１を備えている。載置台５１は中央に凹部５２を設け、凹部５２には、食材２２を置く載置面５３を形成している。凹部５２の周囲の垂直壁５４の高い部分に蒸気連通面５５を形成し、蒸気連通面５５には、開口孔５６を具備している。載置台５１の載置面５３は、載置台足５
７にて、支えられている。蒸気連通面５５の外周には、隙間５８を設けている。加熱容器５０の底には、水を溜める貯水部５９を設けている。６０は容器蓋で、加熱容器５０の上部開口に取り付けることで、加熱容器５０を密閉している。
【００６５】
以上のように構成された加熱調理器について、以下その動作、作用を説明する。
【００６６】
マイクロ波発生装置３４から発生したマイクロ波は、放射口３７から底板３８を透過して、加熱容器５０内に放射されることになる。予め、加熱容器５０の圧力を水の沸騰温度が約７５℃になる減圧状態（約０．３８気圧）まで下げているので、貯水部５９の水は７５℃で沸騰し、７５℃の蒸気を発生させる。この蒸気は、開口孔５６と隙間５８とを通過して、加熱容器５０内に充満し、食材２２を７５℃の蒸気で加熱することになる。
【００６７】
食材２２が７５℃の蒸気で加熱される際に、一部の蒸気は、食材２２の表面で結露し、食材２２の表面を水で濡らすことになる。一方、貯水部５９の水の加熱時に貯水部５９の水を透過したマイクロ波は、直接食材２２を加熱することになるが、上述した食材２２の表面の結露した水を加熱し、７５℃の沸騰まで、昇温させることになり、結果として、食材２２は、加熱前に設定した７５℃で、安定して加熱される。また、このマイクロ波が直接食材２２に作用する加熱は、前述した７５℃の蒸気による加熱に加わり、食材２２を加熱するスピードを速くできる。
【００６８】
さらに、本実施の形態においては、食材２２を置く載置面５３は、載置台５１の中央の凹部５２に設けられており、また、載置面５３には開口孔５６を具備していない。凹部５２の周囲の高い部分に開口孔５６を具備した蒸気連通面５５を形成しているので、たとえ貯水部５９の水が沸騰して、開口孔５６と隙間５８から飛び出しても、沸騰した水が直接食材２２に当たることを抑制できる。したがって、食材２２に対して必要以上に沸騰水がかかることは無くなり、この作用で食味が変わることが無い。
【００６９】
また、食材２２より高い位置まで、貯水部５９の水を溜め、取り囲むことができるので、貯水部５９の水が沸騰した際に、その沸騰水の熱が載置面５３を介して食材２２に熱伝達し、食材２２の昇温を早くすることができる。さらに、貯水部５９の水を載置台５１の形状に合わせて、凹形状に変えることで、水の表面積を増し、水へのマイクロ波吸収量を向上させ、貯水部５９の昇温を早くすることができる。
【００７０】
なお、本実施の形態では、貯水部５９の水で発生する蒸気は、開口孔５６と蒸気連通面５５の外周に設けた隙間５８を通過させて、加熱容器５０内に蒸気を充満させているが、開口孔５６を無くし、隙間５８だけにしても良く、要は、凹部５２を形成する垂直壁５４の外側から蒸気を通過させる構成にすれば良い。
【産業上の利用可能性】
【００７１】
以上のように、本発明の加熱調理器は、所定の減圧状態で生じる水の沸騰温度と同じ温度で、食材を安定して加熱できるので、食品工場内の加熱工程等にも適用できる。
【符号の説明】
【００７２】
１、１８  本体（調理器本体）
２、１９  加熱室
３、２１、５１  載置台
４、２２  食材
６、２５、５６  開口孔
８、２７、５９  貯水部
９、２８  減圧装置
１１  蓋
１３、３４  マイクロ波発生装置
１６、３７  放射口
１７、３９  制御装置
２０、５０  加熱容器
５、２３、５３  載置面
２４、５５  蒸気連通面
３２、６０  容器蓋
５２  凹部
５４  垂直壁
５８  隙間
【図１】
2017166763.tif 000003
【図２】
2017166763.tif 000004
【図３】
2017166763.tif 000005
【図４】
2017166763.tif 000006
【図５】
2017166763.tif 000007
【図６】
2017166763.tif 000008
【図７】
2017166763.tif 000009